(57)【要約】  【課題】  受信側で、多重データの分離を安定して行うことが可能なデータ伝送システムを提供する。  【解決手段】  調歩同期式データと同期式データの両方を送受信可能なデータ伝送システムにおいて、送信側１では、調歩同期式データと同期式データを多重データにしその先頭に、調歩同期式データとして認識されないデータパターンの同期パルスを付加して多重データを構成して送信し、受信側２では、前記同期パルスを検出しそのデータパターンを、その後に続く多重データの分離の開始位置として分離することを特徴とする。【選択図】図１Ａ
2007081911.tif 000002
【特許請求の範囲】
【請求項１】
調歩同期式データと同期式データの両方を送受信可能なデータ伝送システムにおいて、送信側では、前記調歩同期式データと前記同期式データを多重データにしその先頭に、前記調歩同期式データとして認識されないデータパターンの同期パルスを付加して多重データを構成して送信し、受信側では、前記同期パルスを検出しそのデータパターンを、その後に続く前記多重データの分離の開始位置として分離することを特徴とするデータ伝送システム。
【請求項２】
請求項１記載のデータ伝送システムにおいて、受信側では、前記同期パルスを検出しそのデータパターンに基づき、前記調歩同期式データと前記同期式データとを自動切換して出力することを特徴とするデータ伝送システム。
【発明の詳細な説明】
【技術分野】
【０００１】
本発明は、デジタルＳＴＬシステムに適用のリモコン信号を送受信可能なデータ伝送システムに関する。
【背景技術】
【０００２】
デジタルＳＴＬシステムは、ＴＶ局では、マスタからの放送波（ＴＳ信号）と、同期発生器からのリモコン信号（ＳＣ信号）とを多重データにしてＳＴＬ送信装置から送信し、東京タワー等に設置されたＳＴＬ受信装置では、その多重データからリモコン信号（ＳＣ信号）を検出し、ＳＴＬ受信装置の後段の放送機（送信機）の切換（１号機と２号機の切換）を行う。
【０００３】
なお、ＳＴＬはスタジオ・トランスミッタ・リンクの略、ＴＳはトランスポートストリームの略、ＳＣはサービスチャネルの略である。
【０００４】
上記リモコン信号（ＳＣ信号）は、調歩同期発生器からの調歩同期式データと同期発生器からの同期式データとの２種類があり、上記デジタルＳＴＬシステムでは、いずれの発生器からのデータでも送受信可能としている。
【０００５】
調歩同期式データについては、例えば特許文献１に記載されている。
【０００６】
【特許文献１】特開平１１−４１３１９号公報
【発明の開示】
【発明が解決しようとする課題】
【０００７】
調歩同期式データと同期式データの両方を送受信可能なシステムにおいては、同期式データのデータパターンに調歩同期式データと同一のデータパターンが継続する場合があり、この場合、受信側では調歩同期式データと同一の同期式データが伝送されてくると、調歩同期式データか同期式データのどちらが伝送されてきているのか判別できず、したがって多重データの分離を安定して行えないという課題がある。
【０００８】
本発明の目的は、受信側で、多重データの分離を安定して行うことが可能なデータ伝送システムを提供することにある。
【課題を解決するための手段】
【０００９】
本発明は、調歩同期式データと同期式データの両方を送受信可能なデータ伝送システムにおいて、送信側では、前記調歩同期式データと前記同期式データを多重データにしその先頭に、前記調歩同期式データとして認識されないデータパターンの同期パルスを付加して多重データを構成して送信し、受信側では、前記同期パルスを検出しそのデータパターンを、その後に続く前記多重データの分離の開始位置として分離することを特徴とする。
【００１０】
また本発明は、上記記載のデータ伝送システムにおいて、受信側では、前記同期パルスを検出しそのデータパターンに基づき、前記調歩同期式データと前記同期式データとを自動切換して出力することを特徴とする。
【発明の効果】
【００１１】
本発明によれば、受信側で、多重データの分離を安定して行うことが可能なデータ伝送システムを得る効果を奏する。
【発明を実施するための最良の形態】
【００１２】
本発明に係る実施の形態について、図面を用いて説明する。
【００１３】
図１Ａは、本発明によるデータ伝送を含むデジタルＳＴＬシステムの第１の実施の形態の構成図である。図１Ｂは、本発明によるデータ伝送を含むデジタルＳＴＬシステムの第２の実施の形態の構成図である。
【００１４】
図１Ａ，図１Ｂにおいて、１はＳＴＬ送信装置、２はＳＴＬ受信装置である。ＳＴＬ送信装置１はＴＶ局に設置され、ＳＴＬ受信装置２は東京タワー等に設置される。
【００１５】
ＳＴＬ送信装置１は、入力信号１Ａと入力信号１Ｂとを入力としている。入力信号１Ａは、図示していないマスタからの放送波（ＴＳ信号）である。入力信号１Ｂは、図示していない同期発生器からのリモコン信号（ＳＣ信号）である。ここで、リモコン信号（ＳＣ信号）は、調歩同期式データと同期式データの多重データである。
【００１６】
ＳＴＬ送信装置１は、多重部１０と同期バイト発生部１１を備え、多重部１０で、入力信号１Ｂである，リモコン信号（ＳＣ信号）の多重データの先頭に、同期バイト発生部１１で発生した同期バイト１Ｃを付加してリモコン多重データを構成する。
【００１７】
ここで、同期バイト１Ｃは、調歩同期式データとして認識されないデータパターンの同期パルスである。この同期バイトの説明は、後で図２を用いて説明する。
【００１８】
また多重部１０では、入力信号１Ａである放送波とリモコン多重データとを多重した送信多重データ１Ｄを出力する。
【００１９】
ＳＴＬ受信装置２は、データ分離部２０と同期バイト検出部２１を備え、同期バイト検出部２１で、ＳＴＬ送信装置１で付加された同期バイト１Ｃを検出し、この同期バイトを示す同期バイト位置信号２Ｄを出力し、データ分離部２０に入力する。
【００２０】
また図１Ａの同期バイト検出部２０は、検出結果から調歩同期式データか同期式データかを示すデータ形式信号２Ｅを出力し、データ分離部２０に入力する。
【００２１】
図１Ｂのデータ分離部２０では、送信多重データ１Ｄを入力とし、放送波を分離して出力信号２Ａとするとともに、同期バイト検出部２１からの同期バイト位置信号２Ｄにより、同期バイト１Ｃに続く，リモコン信号（ＳＣ信号）の多重データを分離し、調歩同期式データ２Ｂと同期式データ２Ｃとを自動切換して、出力する。
【００２２】
図１Ａのデータ分離部２０では、さらに同期バイト検出部２１からのデータ形式信号２Ｄも使用して、同期バイト１Ｃに続く，リモコン信号（ＳＣ信号）の多重データを分離し、調歩同期式データと同期式データとを自動切換して、出力信号２Ｂ，２Ｃとする。
【００２３】
次に、リモコン信号（ＳＣ信号）の多重データの先頭に付加する同期バイト１Ｃについて説明する。
【００２４】
リモコン信号（ＳＣ信号）が調歩同期式データの場合は、スタートビットが必ずＬ、その後にデータが７ビット連続し、次にデータに付加するパリティビット、その後にストップビットが必ずＨという１０ビットで、１データパケットを構成している。
【００２５】
同期バイト１Ｃは、この調歩同期式データとして認識されないようなデータパターンを同期バイトとして、リモコン信号（ＳＣ信号）の多重データの先頭に付加することで、受信側で、同期バイト１Ｃを検出し、同期バイト１Ｃに続く，リモコン信号（ＳＣ信号）の多重データを分離し、且つ多重データが同期バイト式データなのか調歩同期式データであるのかを識別可能となる。
【００２６】
例えば同期バイトを２４ｈ（ヘキサ：１６進）とすると、同期バイトのデータパターンは“００１００１００”となる。この同期バイトのデータパターンを２回連続で構成すると“００１００１００００１００１００”となる。
【００２７】
図２は、２４ｈの２回連続で構成された本発明例の同期バイトのデータパターンが、調歩同期式データのデータパターンとして認識されないことを示す図である。
【００２８】
図２（ａ）は、２４ｈの２回連続で構成された本発明例の同期バイトを示す。
【００２９】
図２（ｂ）は、同期バイトのうちの最初のＬのビットが、調歩同期式データのスタートとみて、以後７ビット連続のデータ０〜データ６、次のビットをパリテイ、その後のビットを調歩同期式データのストップでないかとみた場合であるが、この場合ストップとみたビットがＬのビットでＨのビットでないので、調歩同期式データとして認識されない。
【００３０】
図２（ｃ）は、同期バイトのうちの次のＬのビットが、調歩同期式データのスタートとみて、以後７ビット連続のデータ０〜データ６、次のビットをパリテイ、その後のビットを調歩同期式データのストップでないかとみた場合であるが、この場合ストップとみたビットがＬのビットでＨのビットでないので、調歩同期式データとして認識されない。
【００３１】
図２（ｄ）は、同期バイトのうちのその次のＬのビットが、調歩同期式データのスタートとみて、以後７ビット連続のデータ０〜データ６、次のビットをパリテイ、その後のビットを調歩同期式データのストップでないかとみた場合であるが、この場合ストップとみたビットがＬのビットでＨのビットでないので、調歩同期式データとして認識されない。
【００３２】
このように、２４ｈの２回連続で構成された本発明例の同期バイトのデータパターンには、調歩同期式データのデータパターンが存在しないため、本発明例の同期バイトを同期式パターンに付加することで、受信側で、本発明例の同期バイトを検出するとともに、調歩同期式データであるのか同期バイト式データであるのかを認識することができる。
【００３３】
図３は、ＳＴＬ送信機で、本発明の同期バイトを付加したリモコン多重データのフレーム長を示す図である。図３においては、データＡ，データＢ，データＣからなるリモコン多重データの多重開始点を、多重データの中から識別するために、データＡの先頭に、本発明例の同期バイトを付加して、リモコン多重データのフレーム長Ｌを構成した図である。
【００３４】
図３のように、同期バイトは、一定区間のフレーム長Ｌの中に、Ｍの長さで付加してなる。多重データを分離するには、この一定区間のフレーム長Ｌのデータ内で、Ｍの長さ継続する同期バイトと同一のデータパターンを検出し、同期バイト以降のデータの多重開始点を捕捉する。
【００３５】
同期バイト長が短いと、伝送速度は速いが、同期式データのパターンを誤検出する（調歩同期式データと誤って検出する）可能性が大きくなる。
【００３６】
同期バイト長が長いと、伝送速度は遅くなるものの、同期式データのパターンを誤検出する（調歩同期式データと誤って検出する）可能性が小さくなる。
【００３７】
また同期式バイトパターン長が長いと、実データが同期バイトに類似していた場合、多重開始点を検出するのが遅くなる。
【００３８】
したがって、多重フレーム長Ｌ＝１００で、同期バイト長Ｍの最大許容値＝３０であるとき、多重開始点を検出するのが遅くなることがないよう、同期バイト長Ｍを３０より小さくした方が良い。
【００３９】
図４は、リモコン多重データのフレーム長中の同期バイト長と同期バイト検出確率の関係について示す図である。
【００４０】
図４に示すように、同期バイト長が長くなるに従って、伝送データ内で実データが占有可能な領域が低くなるため、実データを伝送可能な伝送容量が減少する。同期バイトが長くなるに従って、実データのランダム的なパターンの中から、同期バイトと同一のデータパターンの存在確率が減少するため、実データを同期バイトとして誤検出する可能性が低くなる。
【００４１】
よって、所望の伝送容量を有するよう、斜線で示した範囲内に入るように同期バイト長を所定値以下に設定すると共に、所望の同期バイト検出確率となるよう、斜線で示した範囲内に入るように同期バイト長を所定値以上に設定する。
【００４２】
このことで、実データを同期バイトとして誤検出する可能性が尤も低く、所望の伝送容量を確保可能な同期バイト長を設定することができる
図５は、図１Ａ，図１ＢのＳＴＬ送信装置１から出力の送信多重データ１Ｄとフレーム検出について説明する図である。
【００４３】
図５（ａ）は、ＳＴＬ送信装置１から出力の送信多重データ１Ｄを示す。送信多重データのフレームは、データＡ（マスタからの放送波（ＴＳ信号））とデータＢ（リモコン信号（ＳＣ信号））を多重し、多重後のデータに４７ｈという，フレーム先頭位置を示す同期バイトを付加して構成する。
【００４４】
したがって、図５（ｂ）に示すように、データＢ（リモコン信号（ＳＣ信号））の同期バイトとして４７ｈを採用した場合は、データＢ内の４７ｈをデータフレームの同期バイトと誤認識する可能性がある。また４７ｈは、調歩同期式データとして認識されてしまうため、受信側での自動切換えに適さない。
【００４５】
それに対して、図５（ｃ）に示すように、データＢ（リモコン信号（ＳＣ信号））の同期バイトとして２４ｈを採用した場合は、フレームの先頭の同期バイト４７ｈと、データＢ（リモコン信号（ＳＣ信号））中の同期バイト２４ｈを誤検出する可能性がなくなる。
【図面の簡単な説明】
【００４６】
【図１Ａ】本発明によるデータ伝送を含むデジタルＳＴＬシステムの第１の実施の形態の構成図である。
【図１Ｂ】本発明によるデータ伝送を含むデジタルＳＴＬシステムの第２の実施の形態の構成図である。
【図２】２４ｈの２回連続で構成された本発明例の同期バイトのデータパターンが、調歩同期式データのデータパターンとして認識されないことを示す図である。
【図３】ＳＴＬ送信機で、本発明の同期バイトを付加したリモコン多重データのフレーム長を示す図である。
【図４】リモコン多重データのフレーム長中の同期バイト長と同期バイト検出確率の関係について示す図である。
【図５】図１Ａ，図１ＢのＳＴＬ送信装置から出力の送信多重データとフレーム検出について説明する図である。
【符号の説明】
【００４７】
１：ＳＴＬ送信装置、２：ＳＴＬ受信装置、１０：多重部、１１：同期バイト発生部、１Ａ，１Ｂ：入力信号、１Ｃ：同期バイト、１Ｄ：送信多重データ、２０：データ分離部、２１：同期バイト検出部、２Ａ，２Ｂ，２Ｃ：出力信号、２Ｄ：同期バイト位置信号、２Ｅ：データ形式信号。
【図１Ａ】
2007081911.tif 000003
【図１Ｂ】
2007081911.tif 000004
【図２】
2007081911.tif 000005
【図３】
2007081911.tif 000006
【図４】
2007081911.tif 000007
【図５】
2007081911.tif 000008